(57)【要約】【課題】転倒のおそれや、ビームを起こし直す必要がなく、横引き、高さ調整及び一人でも長尺のビームの持ち運びが可能で、取り扱いを容易とし、かつ工期短縮を図ることができる汚泥掻寄機の据付・組立用冶具を提供すること。【解決手段】下部に移動方向を可変とした車輪２を、上部にはビームＢを載置するビーム支持台５を昇降可能とする扛上機構３を備えた移動台車１を２台一対としてビームＢを支持してビームＢの組立を行えるように構成する。【選択図】  図１
2004267955.tif 000002
【特許請求の範囲】
【請求項１】
下部に移動方向を可変とした車輪を、上部にはビームを載置するビーム支持台を昇降可能とする扛上機構を備えた移動台車を２台一対としてビームを支持してビームの組み立てを行えるように構成したことを特徴とする汚泥掻寄機の据付・組立用冶具。
【請求項２】
扛上機構を、平行四辺形リンクにより構成したことを特徴とする請求項１記載の汚泥掻寄機の据付・組立用冶具。
【発明の詳細な説明】
【０００１】
【発明の属する技術分野】
本発明は、汚泥掻寄機の据付・組立用冶具、特に横引き、高さ調整、長尺のビームの持ち運び等の取り扱いを可能とし、かつ工期短縮を図ることができるようにした汚泥掻寄機の据付・組立用冶具に関するものである。
【０００２】
【従来の技術】
従来、下水等の処理において、汚水処理槽底に沈殿する汚泥を掻き寄せるための装置として採用されているピンラック式汚泥掻寄機は、その据付時の本体ビーム組立に際し、汚水処理槽内あるいはその近接場所に搬入した所定の長さを有し、かつその下面に汚泥掻寄用のフライトを多数取り付けるようにした複数本のビームを、その軸心を合わせるようにして接続フランジを介して互いに接続し、所定の汚水処理槽の全長となるようにしている。
この場合、定寸のビームを、組立や据付に適した所定の高さに持ち上げて隣接する接続フランジ間をボルトナットなどの接続金具を用いて接続するようにしている。
このビームの持ち上げには、例えば図５に示すように、下端にキャスターを備えた２つのビティ足場Ｆ１，Ｆ２を互いに対向するよう配設し、所定の櫓を組み、この櫓にてチェンブロックなどの吊り上げ装置Ｃを用い、ワイヤロープ等Ｗで１本１本、吊り下げていた。
また、ビーム搬入後の横引きにおいても、このビティ足場Ｆ１，Ｆ２を組んだ櫓を用いて、１本１本吊り上げて、横方向へ移動させていた。
【０００３】
【発明が解決しようとする課題】
ところで、上記従来のビティ足場を組んだ櫓を用いて汚泥掻寄機の据付・組立を行う場合、ビームはその形状が転倒しやすいものであるため、所定場所への搬入後、組み立てる直前まで転倒しないように予め転倒させていたので、このビームによる櫓を使用する際には、その都度ビティ足場にて櫓を組み立て、かつこの櫓にて予め転倒させていたビームを吊り下げるようにして立て起こす必要があり、さらにはビームの吊り下げ、組み立て後においては、不要となる櫓を解体しているので、ビティ足場による櫓の組立、解体等、さらにはビームの転倒、立て起こし等の手間を要し、面倒な作業が重複するなど、工期の短縮、簡略化を図っても限度があるという問題があった。
【０００４】
本発明は、上記従来の汚泥掻寄機の据付・組立において有する問題点に鑑み、転倒のおそれや、ビームを起こし直す必要がなく、横引き、高さ調整及び一人でも長尺のビームの持ち運びが可能で、取り扱いを容易とし、かつ工期短縮を図ることができる汚泥掻寄機の据付・組立用冶具を提供することを目的とする。
【０００５】
【課題を解決するための手段】
上記目的を達成するため、本発明の汚泥掻寄機の据付・組立用冶具は、下部に移動方向を可変とした車輪を、上部にはビームを載置するビーム支持台を昇降可能とする扛上機構を備えた移動台車を２台一対としてビームを支持してビームの組立を行えるように構成したことを特徴とする。
【０００６】
本発明の汚泥掻寄機の据付・組立用冶具は、ジャッキ機構も搭載しているので、支持するビームの高さ調整も容易に、正確に行え、また、この冶具は車輪付なので、横引きが可能で、しかも一人でも持ち運びできるため、重機を使用することがなく、取り扱いが容易となり、転倒のおそれがないので、転倒防止のためにビームを横置きする必要が無くなり、ビームの起こし直す手間を省くことができる。
【０００７】
この場合、扛上機構を、平行四辺形リンクにより構成することができる。
【０００８】
これにより、扛上機構を簡易に構成することができ、かつ載置するビームの上下位置の調整が簡易に、正確に行うことができる。
【０００９】
【発明の実施の形態】
以下、本発明の汚泥掻寄機の据付・組立用冶具の実施の形態を、図面に基づいて説明する。
【００１０】
本発明の汚泥掻寄機の据付・組立用冶具は、図１〜図３に示すように、ビームＢを支持し、かつ持ち上げ下げを可能とするようにしたジャッキなどよりなる扛上機構３を上部に、また下部には移動方向を可変とした車輪を備えてなる移動台車Ａを２台一対として構成するものである。
扛上機構３を備えた移動台車Ａを構成する台車１は、ビームＢを持ち上げ下げして支持するのに適した大きさ及び形状を備え、特に限定されるものではないが、図示の実施例では長方形とし、この台車１の下面側四隅には移動可能とするための車輪２を備える。
【００１１】
また、この車輪２は、移動台車Ａの移動方向を任意方向となるように、方向が任意に可変できるキャスターとすることが望ましく、これにより、作業者が一人でも容易に横引きを可能とする。
【００１２】
扛上機構３は、台車１の上部に備え、特に限定されるものではないが、図示の実施例においては、ガイド機構４により定位置にて昇降可能に支持されたビーム支持台５と、このビーム支持台５の下部に配設されたリンク式ジャッキ６とから構成される。
このガイド機構４は、取付金具４４にて台車１上に固定できるようにした平板状の取付台４１の四隅に樹立するように突設した固定ガイド４２，４２、４２，４２と、この固定ガイド４２にて摺動可能に支持された昇降ガイド４３，４３，４３，４３とからなる。
【００１３】
また、ビーム支持台５を定位置にて昇降できるよう、固定ガイド４２及び昇降ガイド４３は、特に限定されるものではないが、例えばチャンネル材を用い、これにより固定された固定ガイド４２に対し、昇降ガイド４３の昇降位置を規制し、予め定めた定位置で昇降できるようにする。
【００１４】
なお、固定ガイド４２は、取付台４１に溶接、ボルト止め等にて固定してその取付位置を設定するが、昇降ガイド４３は、ビーム支持台５のほぼ四隅位置にてその下方向へ突出するように溶着その他の方法で固定する。これにより、固定ガイド４２に導かれて昇降ガイド４３が昇降動作をするようにする。
なお、このビーム支持台５は、平板状でも可能であるが、丸パイプ状のビームを安定して支持できるよう、図示のように湾曲形成することもできる。
【００１５】
リンク式ジャッキ６は、複数本のリンクを組み合わせた平行四辺形リンク機構よりなる。これは特に限定されるものではないが、例えば取付台４１のほぼ中央部に取り付けたブラケット６１に、２本の下部リンク６２，６２の一端側を軸６３，６３を介して枢着するとともに、この下部リンク６２，６２の他端側に軸６４，６４を介して上部リンク６５，６５を枢着し、この上部リンク６５，６５の他端側をビーム支持台５の下面に取り付けたブラケット６６に軸６７，６７を介して枢着し、これにより平行四辺形リンク機構を形成し、さらに対向する軸６４，６４間にスクリューロッド６８を嵌通するよう架け渡し、かつ一方の軸６４に螺合して構成する。
これにより、一方の軸６４の端より突出するスクリューロッド６８を、ハンドルなどの工具を介して手回式で回動することにより、このスクリューロッド６８の回動方向に応じて、平行四辺形リンク形のリンク機構を屈伸させてビーム支持台５を昇降させるようにする。
なお、このリンク式ジャッキ６によるビーム支持台５の昇降距離は、少なくともビームの組立、据付位置と、搬入、待機位置との間を昇降するようにして設定する。
【００１６】
このように構成する移動台車Ａの２台を、ビームＢの長さに応じて、該ビームを安定して支持できる間隔をあけて対設し、２台の移動台車Ａ、Ａのビーム支持台５，５間にビームＢ，Ｂを架け渡すように載置して支持する。
【００１７】
次に本発明の汚泥掻寄機の据付・組立用冶具の使用方法について説明する。
一端側から汚水が導入され、この汚水供給側の底部には汚泥を適宜引き抜くようにした汚泥ピットを備えた汚水処理槽Ｐに、図４に示すように、槽底に沈降した汚泥を、掻き寄せ、汚泥ピットに集泥するようにしたピンラック式汚泥掻寄機Ｄを配設する。
この汚泥掻寄機Ｄは、特に限定されるものではないが、例えば図４に示すように、汚水処理槽Ｐの槽底に沈降した汚泥を掻き寄せるフライトＦＲ付の汚泥掻寄ビームＤ１と、この汚泥掻寄ビームＤ１を吊垂支持して所定のストローク長で汚水処理槽Ｐの長手方向に沿って往復移動させるとともに、所定距離だけ上下動させる、所謂蠕動運動をするように構成し、かつ水面上に設置した駆動装置Ｄ２とからなる。
【００１８】
このピンラック式汚泥掻寄機Ｄは、汚水処理槽Ｐ内あるいはその近傍で組み立てるが、この本体ビームの組立、さらに据付には、組立場所に搬入するビームＢを、図１（Ａ）、（Ｂ）に示すように、２台を一対として所要の間隔をあけて対向する移動台車Ａ、Ａのビーム支持台５，５間に架け渡すように載置する。このようにしてフライトＦＲを取付可能としたビームＢを所定場所へ搬入することもできるが、クレーンなどで搬入されたビームＢを、対向する２台の移動台車Ａ、Ａのビーム支持台５，５間に掛け渡すようにして載置する。
この場合、各移動台車Ａは、下面をそれぞれ少なくとも４つの車輪にて支持されているので、安定してビームＢを載置することができる。
【００１９】
ビーム支持台５，５間に載置されたビームＢを、移動台車Ａごと組立位置へ移動又は横移動し、かつ隣接されるビームＢとの軸心を合わせて一直線となるように、上下の軸心位置と左右前後位置とを合わせるようにする。この左右前後位置の調整は、移動台車Ａの移動により行い、上下位置の調整は、リンク式ジャッキ６，６によりビーム支持台５，５を昇降させて行う。
これはスクリューロッド６８を回動することにより、その回動方向に応じて平行四辺形リンク形のリンク機構を屈伸させてビーム支持台５を昇降させることができる。
【００２０】
このようにして軸心を合わせた隣接ビームＢ、Ｂの互いに接するフランジＦＲ，ＦＲ間をボルトナットにて固定し、組み立てるものである。
なお、隣接ビームＢ、Ｂの接合が完了すると、次にリンク式ジャッキ６のスクリューロッド６８を再び回動させ、リンク式ジャッキ６を、図２に示すように、少なくともビーム支持台５を、組み立てたビームＢの下端よりも下方位置となるように降下させ、これにより移動台車Ａを横移動、即ちビームの長手方向と交わる方向へ移動することにより組み立て、ビーム位置より移動して移動台車Ａ、Ａ引き抜くことができる。
なお、組立ビームが複数本ある場合は、この動作を順次繰り返して行うものである。
【００２１】
したがって、従来のようにビティ足場を櫓に組む必要がなく、ビティ足場の搬入搬出、組立が不必要となり、さらに本発明の据付・組立用冶具には、ジャッキ機構も搭載しているので、支持するビームの高さ調整も容易に、正確に行える。
また、この冶具は走行方向可変式の車輪付なので、横引きが可能で、しかも一人でも持ち運びできるため、重機を使用することがなく、取り扱いが容易となり、転倒のおそれがないので、転倒防止のためにビームを横置きする必要が無くなり、ビームの起こし直す手間を省くことができる。
【００２２】
以上、本発明の汚泥掻寄機の据付・組立用冶具について、その実施例に基づいて説明したが、本発明は上記実施例に記載した構成に限定されるものではなく、汚泥掻寄機の本体ビームの組立以外にも、長尺部材の組立、据付、あるいは解体等にも適用でき、さらにはその趣旨を逸脱しない範囲において、その用途に応じて適宜その構成を変更することができるものである。
【００２３】
【発明の効果】
本発明の汚泥掻寄機の据付・組立用冶具によれば、ジャッキ機構も搭載しているので、支持するビームの高さ調整も容易に、正確に行え、また、この冶具は車輪付なので、横引きが可能で、しかも一人でも持ち運びできるため、重機を使用することがなく、取り扱いが容易となり、転倒のおそれがないので、転倒防止のためにビームを横置きする必要が無くなり、ビームの起こし直す手間を省くことができる。
【００２４】
また、扛上機構を平行四辺形リンク機構にて簡易に構成することができ、かつ載置するビームの上下位置の調整が簡易に、正確に行うことができる。
【図面の簡単な説明】
【図１】本発明の汚泥掻寄機の据付・組立用冶具の一実施例を示し、（Ａ）は正面図、（Ｂ）は側面図、（Ｃ）は平面図である。
【図２】本発明の汚泥掻寄機の据付・組立用冶具を用いてビームを組み立てる場合の行程説明図である。
【図３】平行する２本のビームを組み立てる場合の説明図である。
【図４】ピンラック式汚泥掻寄機の側面図である。
【図５】従来使用されているビティ足場式櫓を用いた汚泥掻寄機の据付・組立を示す説明図である。
【符号の説明】
Ａ    移動台車
Ｂ    ビーム
Ｄ    汚泥掻寄機
１    台車
２    車輪
３    扛上機構
４    ガイド機構
５    ビーム支持台
６    リンク式ジャッキ
【図１】
2004267955.tif 000003
【図２】
2004267955.tif 000004
【図３】
2004267955.tif 000005
【図４】
2004267955.tif 000006
【図５】
2004267955.tif 000007